(57)【要約】【課題】  消費電力を低減し、チップサイズを縮小することが出来る液晶駆動装置を提供する。【解決手段】  上側コモン電位出力回路１１の耐圧を超える電圧がかからないように防ぐための上側防止回路１６と、下側コモン電位出力回路１２の耐圧を超える電圧がかからないように防ぐための下側防止回路１７を備え、前記上側コモン電位出力回路１１の出力電位を前記出力端１５に出力する場合は、スイッチ回路１３をオン状態にし、スイッチ回路１４をオフ状態にする。次に、下側コモン電位出力回路１２の出力電位を前記出力端１５に出力する場合は、前記スイッチ回路１３をオフ状態にし、前記スイッチ回路１４をオン状態にする。この切り替え時に、タイミングに上側防止回路１６、下側防止回路１７によって一時的に回路をオフ状態にして耐圧を超えないようにする。【選択図】  図１
2005134682.tif 000002
【特許請求の範囲】
【請求項１】
上側コモン電位出力回路から発生する上側コモン電位と下側コモン電位出力回路から発生する下側コモン電位を切り替えて液晶表示パネルへ供給する液晶駆動装置であって、
上側コモン電位の供給時にオン状態となる上側スイッチ回路を介して前記上側コモン電位出力回路の出力と液晶表示パネルへのコモン電位出力端とを接続し、
下側コモン電位の供給時にオン状態となる下側スイッチ回路を介して前記下側コモン電位出力回路の出力と前記コモン電位出力端とを接続し、
前記下側スイッチ回路がオフ状態に切り替わって前記上側スイッチ回路がオン状態に切り替わるタイミングに一時的にオフ状態になる上側防止回路を、前記上側コモン電位出力回路の出力と前記上側スイッチ回路の間に介装し、
前記上側スイッチ回路がオフ状態に切り替わって前記下側スイッチ回路がオン状態に切り替わるタイミングに一時的にオフ状態になる下側防止回路を、前記下側コモン電位出力回路の出力と前記下側スイッチ回路の間に介装した
液晶駆動装置。
【請求項２】
前記上側コモン電位出力回路と前記上側防止回路の間に、前記上側防止回路から前記上側コモン電位出力回路にかかる電圧の伝播を遅らせる上側遅延回路を介装し、
前記下側コモン電位出力回路と前記下側防止回路との間に、前記下側防止回路から前記下側コモン電位出力回路にかかる電圧の伝播を遅らせる下側遅延回路を介装した
請求項１記載の液晶駆動装置。
【請求項３】
前記上側コモン電位出力回路と前記上側防止回路の間に、前記上側防止回路の出力がオン状態に復帰した後にオン状態に切り替わる上側第２スイッチ回路を介装し、
前記下側コモン電位出力回路と前記下側防止回路との間に、前記下側防止回路の出力がオン状態に復帰した後にオン状態に切り替わる下側第２スイッチ回路を介装した
請求項１記載の液晶駆動装置。
【請求項４】
上側コモン電位出力回路から発生する上側コモン電位と下側コモン電位出力回路から発生する下側コモン電位を切り替えて液晶表示パネルへ供給する液晶駆動装置であって、
上側コモン電位の供給時にオン状態となる上側スイッチ回路を介して前記上側コモン電位出力回路の出力と液晶表示パネルへのコモン電位出力端とを接続し、
下側コモン電位の供給時にオン状態となる下側スイッチ回路を介して前記下側コモン電位出力回路の出力と前記コモン電位出力端とを接続し、
前記上側スイッチ回路の出力と前記下側スイッチ回路の出力との接続点と前記コモン電位出力端との間に、前記上側スイッチ回路をオフ状態に切り替えて下側コモン電位を出力する場合に、下側スイッチ回路をオン状態に切り替える前に、下側コモン電位出力回路にとって適切な電位になるように出力端子の電位を変え、前記下側スイッチ回路をオフ状態に切り替えて上側コモン電位を出力する場合に、上側スイッチ回路をオン状態に切り替える前に、上側コモン電位出力回路にとって適切な電位になるように出力端子の電位を変える適切電位設定回路を介装した
液晶駆動装置。
【請求項５】
上側コモン電位出力回路から発生する上側コモン電位と下側コモン電位出力回路から発生する下側コモン電位を切り替えて液晶表示パネルへ供給する液晶駆動装置であって、
上側コモン電位の供給時にオン状態となる上側スイッチ回路を介して前記上側コモン電位出力回路の出力と液晶表示パネルへのコモン電位出力端とを接続し、
下側コモン電位の供給時にオン状態となる下側スイッチ回路を介して前記下側コモン電位出力回路の出力と前記コモン電位出力端とを接続し、
前記上側コモン電位出力回路の出力と前記上側スイッチ回路の間に、前記下側スイッチ回路がオフ状態に切り替わって前記上側スイッチ回路がオン状態に切り替わるタイミングにＭＯＳトランジスタのしきい値電圧の特性を利用して前記上側コモン電位出力回路への過電圧の印加を防止する上側ＭＯＳトランジスタを介装し、
前記下側コモン電位出力回路の出力と前記下側スイッチ回路の間に、前記上側スイッチ回路がオフ状態に切り替わって前記下側スイッチ回路がオン状態に切り替わるタイミングにＭＯＳトランジスタのしきい値電圧の特性を利用して前記下側コモン電位出力回路への過電圧の印加を防止する下側ＭＯＳトランジスタを介装した
液晶駆動装置。
【請求項６】
上側コモン電位出力回路から発生する上側コモン電位と下側コモン電位出力回路から発生する下側コモン電位を切り替えて液晶表示パネルへ供給する液晶駆動装置であって、
前記上側コモン電位出力回路の出力と液晶表示パネルへのコモン電位出力端とを上側ＭＯＳトランジスタを介して接続し、
前記下側コモン電位出力回路の出力と液晶表示パネルへのコモン電位出力端とを下側ＭＯＳトランジスタを介して接続し、
前記上側ＭＯＳトランジスタと前記下側ＭＯＳトランジスタ切り替えて上側コモン電位と下側コモン電位を切り替えて前記コモン電位出力端へ供給するよう構成した
液晶駆動装置。
【発明の詳細な説明】
【技術分野】
【０００１】
本発明はテレビジョン受像機、パーソナルコンピュータ、ワークステーション等に用いる液晶駆動装置に関するものである。
【背景技術】
【０００２】
液晶表示パネルへ上側コモン電位と下側コモン電位を切り替えて供給する従来の液晶駆動装置は図７に示すように構成されている。
１１は上側コモン電位出力回路、１２は下側コモン電位出力回路、１３は上側スイッチ回路、１４は下側スイッチ回路、１５は出力端子であり、出力端子１５が液晶表示パネルのコモン電極へ接続されている。
【０００３】
まず、前記液晶表示パネルに上側コモン電位が必要な場合は、上側スイッチ回路１３をオン状態とし、下側スイッチ回路１４をオフ状態とすることで、出力端子１５から前記液晶表示パネルへ上側コモン電位を供給する。
【０００４】
また、前記液晶表示パネルに下側コモン電位が必要な場合は、上側スイッチ回路７３をオフ状態にし、下側スイッチ回路７４をオン状態にすることで、出力端子１５から前記液晶表示パネルへ下側コモン電位を供給する。
【特許文献１】特開平９−１３８６６９号公報
【発明の開示】
【発明が解決しようとする課題】
【０００５】
しかしながら、この構成では、液晶表示パネルに供給するコモン電位が、上側コモン電位から下側コモン電位へ切り替える際に、わずかながら下側コモン電位出力回路１２に、上側コモン電位出力回路１１が供給していた電位がかかる。
【０００６】
このため、上側コモン電位出力回路１１および前記下側コモン電位出力回路１２の回路耐圧および電源範囲は、上側コモン電位出力回路７１と下側コモン電位出力回路７２がそれぞれ出力必要な電位範囲を両方それぞれ含んでいる必要があり、消費電力、回路素子の耐圧、チップサイズが大きくなる問題がある。
【課題を解決するための手段】
【０００７】
本発明の液晶駆動装置は、上側コモン電位出力回路から発生する上側コモン電位と下側コモン電位出力回路から発生する下側コモン電位を切り替えて液晶表示パネルへ供給する液晶駆動装置であって、上側コモン電位の供給時にオン状態となる上側スイッチ回路を介して前記上側コモン電位出力回路の出力と液晶表示パネルへのコモン電位出力端とを接続し、下側コモン電位の供給時にオン状態となる下側スイッチ回路を介して前記下側コモン電位出力回路の出力と前記コモン電位出力端とを接続し、前記下側スイッチ回路がオフ状態に切り替わって前記上側スイッチ回路がオン状態に切り替わるタイミングに一時的にオフ状態になる上側防止回路を、前記上側コモン電位出力回路の出力と前記上側スイッチ回路の間に介装し、前記上側スイッチ回路がオフ状態に切り替わって前記下側スイッチ回路がオン状態に切り替わるタイミングに一時的にオフ状態になる下側防止回路を、前記下側コモン電位出力回路の出力と前記下側スイッチ回路の間に介装したことを特徴とする。
【０００８】
また、前記上側コモン電位出力回路と前記上側防止回路の間に、前記上側防止回路から前記上側コモン電位出力回路にかかる電圧の伝播を遅らせる上側遅延回路を介装し、前記下側コモン電位出力回路と前記下側防止回路との間に、前記下側防止回路から前記下側コモン電位出力回路にかかる電圧の伝播を遅らせる下側遅延回路を介装したことを特徴とする。
【０００９】
また、前記上側コモン電位出力回路と前記上側防止回路の間に、前記上側防止回路の出力がオン状態に復帰した後にオン状態に切り替わる上側第２スイッチ回路を介装し、前記下側コモン電位出力回路と前記下側防止回路との間に、前記下側防止回路の出力がオン状態に復帰した後にオン状態に切り替わる下側第２スイッチ回路を介装したことを特徴とする。
【００１０】
本発明の液晶駆動装置は、上側コモン電位出力回路から発生する上側コモン電位と下側コモン電位出力回路から発生する下側コモン電位を切り替えて液晶表示パネルへ供給する液晶駆動装置であって、上側コモン電位の供給時にオン状態となる上側スイッチ回路を介して前記上側コモン電位出力回路の出力と液晶表示パネルへのコモン電位出力端とを接続し、下側コモン電位の供給時にオン状態となる下側スイッチ回路を介して前記下側コモン電位出力回路の出力と前記コモン電位出力端とを接続し、前記上側スイッチ回路の出力と前記下側スイッチ回路の出力との接続点と前記コモン電位出力端との間に、前記上側スイッチ回路をオフ状態に切り替えて下側コモン電位を出力する場合に、下側スイッチ回路をオン状態に切り替える前に、下側コモン電位出力回路にとって適切な電位になるように出力端子の電位を変え、前記下側スイッチ回路をオフ状態に切り替えて上側コモン電位を出力する場合に、上側スイッチ回路をオン状態に切り替える前に、上側コモン電位出力回路にとって適切な電位になるように出力端子の電位を変える適切電位設定回路を介装したことを特徴とする。
【００１１】
本発明の液晶駆動装置は、上側コモン電位出力回路から発生する上側コモン電位と下側コモン電位出力回路から発生する下側コモン電位を切り替えて液晶表示パネルへ供給する液晶駆動装置であって、上側コモン電位の供給時にオン状態となる上側スイッチ回路を介して前記上側コモン電位出力回路の出力と液晶表示パネルへのコモン電位出力端とを接続し、下側コモン電位の供給時にオン状態となる下側スイッチ回路を介して前記下側コモン電位出力回路の出力と前記コモン電位出力端とを接続し、前記上側コモン電位出力回路の出力と前記上側スイッチ回路の間に、前記下側スイッチ回路がオフ状態に切り替わって前記上側スイッチ回路がオン状態に切り替わるタイミングにＭＯＳトランジスタのしきい値電圧の特性を利用して前記上側コモン電位出力回路への過電圧の印加を防止する上側ＭＯＳトランジスタを介装し、前記下側コモン電位出力回路の出力と前記下側スイッチ回路の間に、前記上側スイッチ回路がオフ状態に切り替わって前記下側スイッチ回路がオン状態に切り替わるタイミングにＭＯＳトランジスタのしきい値電圧の特性を利用して前記下側コモン電位出力回路への過電圧の印加を防止する下側ＭＯＳトランジスタを介装したことを特徴とする。
【００１２】
本発明の液晶駆動装置は、上側コモン電位出力回路から発生する上側コモン電位と下側コモン電位出力回路から発生する下側コモン電位を切り替えて液晶表示パネルへ供給する液晶駆動装置であって、前記上側コモン電位出力回路の出力と液晶表示パネルへのコモン電位出力端とを上側ＭＯＳトランジスタを介して接続し、前記下側コモン電位出力回路の出力と液晶表示パネルへのコモン電位出力端とを下側ＭＯＳトランジスタを介して接続し、前記上側ＭＯＳトランジスタと前記下側ＭＯＳトランジスタを切り替えて上側コモン電位と下側コモン電位を切り替えて前記コモン電位出力端へ供給するよう構成したことを特徴とする。
【発明の効果】
【００１３】
本発明の液晶駆動装置は、上側防止回路，下側防止回路を設けて切り替え時に一時的に回路をオフすることによって、不必要な電位がコモン電位出力回路にかかることを防ぐことができ、適切な電圧範囲でコモン電位出力回路を作ることが出来、消費電力の低減、チップサイズの縮小が出来る。
【００１４】
さらに、上側遅延回路，下側遅延回路、または、上側第２スイッチ回路，下側第２スイッチ回路を追加することによって、信頼性が向上する。
また、上側スイッチと下側スイッチの後段に適切電位設定回路を設けることによっても、コモン電位出力回路に不必要な電位がかかることを防ぐことが出来る。
【００１５】
また、上側スイッチと上側コモン電位出力回路の間に上側ＭＯＳトランジスタを設け、下側スイッチと下側コモン電位出力回路の間に下側ＭＯＳトランジスタを設けることによって、ＭＯＳトランジスタのしきい値電圧の特性を利用することにより、より確実に不必要な電位がコモン電位出力回路にかかることを防ぐことが出来る。
【００１６】
また、出力端と上側コモン電位出力回路の間に、上側ＭＯＳトランジスタを設け、出力端と下側コモン電位出力回路の間に下側ＭＯＳトランジスタを設けて、不必要な電位がコモン電位出力回路にかかることを防ぎ、上側コモン電位出力回路と下側コモン電位出力回路を省電力化して構成部品のチップサイズを縮小することが出来る。
【発明を実施するための最良の形態】
【００１７】
以下、本発明の各実施の形態を図１〜図６に基づいて説明する。
なお、従来例を示す図７と同様の作用を成すものには同一の符号を付けて説明する。
（実施の形態１）
図１に示すように、１１は上側コモン電位出力回路、１２は下側コモン電位出力回路、１３は上側スイッチ回路、１４は下側スイッチ回路、１７は出力端子である。上側コモン電位出力回路１１と上側スイッチ回路１３との間には、上側防止回路１６が介装されている。下側コモン電位出力回路１２と下側スイッチ回路１４との間には、下側防止回路１７が介装されている。
【００１８】
上側防止回路１６は、上側コモン電位出力回路１１の出力と上側スイッチ回路１３の入力との接続線に一端が接続されたダイオード１６ａで構成されており、このダイオード１６ａの他端１６ｂは前記上側コモン電位出力回路１１の下位電位と同電位に接続されている。
【００１９】
下側防止回路１７は、下側コモン電位出力回路１２の出力と下側スイッチ回路１４の入力との接続線に一端が接続されたダイオード１７ａで構成されており、このダイオード１７ａの他端１７ｂは前記下側コモン電位出力回路１２の上位電位と同電位に接続されている。
【００２０】
液晶表示パネルに供給するコモン電位が上側の電位であった場合、上側スイッチ回路１３を接続状態にし、下側スイッチ回路１４をオフ状態にする。
この状態の時、上側コモン電位出力回路１１と出力端子１５が接続状態となり、出力端子１５には上側コモン電位が出力される。
【００２１】
この状態から次に、下側コモン電位を出力端子１５に出力する場合には、まず、オン状態にある上側スイッチ回路１３をオフ状態にする。次に下側スイッチ回路１４をオン状態にする。
【００２２】
このとき、従来であれば一時的に下側コモン電位出力回路１２に上側コモン電位がかかる場合があるが、この（実施の形態１）では、下側防止回路１７を介装しているため、この下側防止回路１７によって、一時的に下側コモン電位出力回路１２に上側コモン電位がかかることを防ぐことができ、下側コモン電位出力回路１２は必要な電源範囲で作ることが出来るようになる。
【００２３】
また、この状態から、上側コモン電位を出力する場合は、まず、下側スイッチ回路１４をオフ状態にする。次に上側スイッチ回路１３をオン状態にする。このとき、上側防止回路１６によって、一時的に上側コモン電位出力回路１１に下側コモン電位がかかることを防ぐことにより、上側コモン電位出力回路１１は必要な電源範囲で作ることが出来る。
【００２４】
このように、上側コモン電位出力回路１１と下側コモン電位出力回路１２へ不必要な電位がかかることを、上側防止回路１６と下側防止回路１７によって防ぐことができ、上側コモン電位出力回路１１と下側コモン電位出力回路１２の消費電力、回路素子の耐圧、チップ面積を小さくすることが出来る。
【００２５】
更に具体的には、上側コモン電位出力回路１１と下側コモン電位出力回路１２の電源範囲をそれぞれ二分の一に出来た場合、消費電力は二分の一に削減出来る。また、電源範囲が二分の一になるため、回路素子の耐圧も二分の一ですむ。回路素子の耐圧が二分の一になった場合、例えば高耐圧素子から低耐圧素子への変更が可能となり、同じ能力に対して低耐圧素子は高耐圧素子に比べて面積が二分の一になった場合、前記上側コモン電位出力回路、および前記下側コモン電位出力回路の回路面積も二分の一に削減出来る。
【００２６】
（実施の形態２）
図２は（実施の形態２）の液晶駆動装置を示し、図１に示した（実施の形態１）の上側コモン電位出力回路１１と上側防止回路１６の間に上側遅延回路１８を介装し、下側コモン電位出力回路１２と下側防止回路１７の間に下側遅延回路１９を介装した点だけが異なっている。
【００２７】
なお、上側遅延回路１８は、上側防止回路１６から上側コモン電位出力回路１１にかかる電圧の伝播を遅らせるよう構成されており、下側遅延回路１９は、下側防止回路１７から下側コモン電位出力回路１２にかかる電圧の伝播を遅らせるように構成されている。
【００２８】
上側遅延回路１８は、上側コモン電位出力回路１１の出力と上側防止回路１６の入力との間の接続線に直列に介装された抵抗器１８ａと基準電位１８ｃの間に介装されたコンデンサ１８ｂとで構成されている。
【００２９】
下側遅延回路１９は、下側コモン電位出力回路１２の出力と下側防止回路１７の入力との間の接続線に直列に介装された抵抗器１９ａと基準電位１９ｃの間に介装されたコンデンサ１９ｂとで構成されている。
【００３０】
このように構成したため、出力端子１５から液晶表示パネルに供給するコモン電位が上側電位であった場合には、上側スイッチ回路１３をオン状態にし、下側スイッチ回路１４をオフ状態にする。この状態の時、上側コモン電位出力回路１１と出力端子１５が接続状態となり、出力端子１７には、上側コモン電位が出力される。
【００３１】
次にこの状態から下側コモン電位を出力する場合には、まず、オン状態にある上側スイッチ回路１３をオフ状態にする。次に下側スイッチ回路１４をオン状態にする。
このとき、従来では一時的に下側コモン電位出力回路１２に上側コモン電位がかかる場合があるが、下側防止回路１７によって、一時的に下側コモン電位出力回路１２に上側コモン電位がかかることを防ぐ。
【００３２】
しかし、下側防止回路１７が適切な電位にしている間に、下側コモン電位出力回路１２にかかる場合があるため、下側遅延回路１９により、電圧の伝播を遅らせることにより、下側コモン電位出力回路２２に不必要な電位がかかることを防ぐことが出来、下側コモン電位出力回路２２は必要な電源範囲で作ることが出来るようになる。
【００３３】
また、この状態から、上側コモン電位を出力する場合は、まず、下側スイッチ回路１４をオフ状態にする。次に上側スイッチ回路１３をオン状態にする。このとき、一時的に上側コモン電位出力回路２１に下側コモン電位がかかる場合があるが、上側防止回路１６によって、一時的に上側コモン電位出力回路１１に下側コモン電位がかかることを防ぐことが出来る。しかし、上側防止回路１６が適切な電位にしている間に、上側コモン電位出力回路１１にかかる場合があるため、上側遅延回路１８により、電圧の伝播を遅らせることにより、上側コモン電位出力回路１１に不必要な電位がかかることを防ぐことが出来、上側コモン電位出力回路２１は必要な電源範囲で作ることが出来るようになる。
【００３４】
（実施の形態３）
図３は（実施の形態３）の液晶駆動装置を示し、図１に示した（実施の形態１）の上側コモン電位出力回路１１と上側防止回路１６の間に上側第２スイッチ回路２０を介装し、下側コモン電位出力回路１２と下側防止回路１７の間に下側第２スイッチ回路２１を介装した点だけが異なっている。
【００３５】
液晶表示パネルに供給するコモン電位が上側電位であった場合、上側スイッチ回路１３と上側第２スイッチ回路２０をオン状態にし、下側スイッチ回路１４と下側第２スイッチ回路２１をオフ状態にする。この状態の時、上側コモン電位出力回路１１と出力端子１５が接続状態となり、出力端子１５には上側コモン電位が出力される。
【００３６】
この状態から次に下側コモン電位を出力する場合には、まず、接続状態にある上側スイッチ回路１３と上側第２スイッチ回路２０をオフ状態にする。次に下側スイッチ回路１４をオン状態にする。このとき、下側防止回路１７によって、適切な電位になった後、第２下側スイッチ回路２１をオン状態にすることにより、下側コモン電位出力回路１２に不必要な電位がかかることを防ぐことが出来、下側コモン電位出力回路１２は必要な電源範囲で作ることが出来るようになる。
【００３７】
また、この状態から上側コモン電位を出力する場合は、まず、下側スイッチ回路１４と下側第２スイッチ回路２１をオフ状態にする。次に上側スイッチ回路１３を接続状態にする。このとき、上側防止回路１６によって、適切な電位になった後、第２上側スイッチ回路２０を接続状態にすることにより、上側コモン電位出力回路１１に不必要な電位がかかることを防ぐことが出来、上側コモン電位出力回路１１は必要な電源範囲で作ることが出来るようになる。
【００３８】
（実施の形態４）
図４は（実施の形態４）の液晶駆動装置を示し、図７に示した従来例の上側スイッチ回路１３の出力と、下側スイッチ回路１４の出力との接続点と出力端子１５との間に、適切電位設定回路２２を介装した点だけが異なっている。
【００３９】
なお、適切電位設定回路２２は、前記上側スイッチ回路１３をオフ状態に切り替えて下側コモン電位を出力する場合に、下側スイッチ回路１４をオン状態に切り替える前に、下側コモン電位出力回路１２にとって適切な電位になるように出力端子１５の電位を変え、前記下側スイッチ回路１４をオフ状態に切り替えて上側コモン電位を出力する場合に、上側スイッチ回路１３をオン状態に切り替える前に、上側コモン電位出力回路１１にとって適切な電位になるように出力端子１５の電位を変えるよう構成されている。
【００４０】
適切電位設定回路２２は、上側コモン電位出力回路１１の下位電源と同電位２２ｂと前記出力端子１５との間に介装されたスイッチ回路２２ａと、下側コモン電位出力回路１２の上位電源と同電位２２ｃと前記出力端子１５との間に介装されたスイッチ回路２２ｄとで構成されている。
【００４１】
液晶表示パネルに供給するコモン電位が上側電位であった場合、上側スイッチ回路１３をオン状態にし、下側スイッチ回路１４をオフ状態にする。この状態の時、上側コモン電位出力回路１１と出力端子１５が接続状態となり、出力端子１５には上側コモン電位が出力される。
【００４２】
この状態から次に下側コモン電位を出力する場合には、まず、オン状態にある上側スイッチ回路１３をオフ状態にする。次に適切電位設定回路２２が、下側コモン電位出力回路１２にとって適切な電位になるように出力端子１５の電位を変える。その後、下側スイッチ回路１４をオン状態にすることにより、下側コモン電位出力回路１２に不必要な電位がかかることを防ぐことが出来、下側コモン電位出力回路１２は必要な電源範囲で作ることが出来るようになる。また、この状態から、上側コモン電位を出力する場合は、まず、下側スイッチ回路１４をオフ状態にする。次に適切電位設定回路２２によって、上側コモン電位出力回路１１にとって適切な電位になるように出力端子１５の電位を変える。その後、上側スイッチ回路１３をオン状態にすることにより、上側コモン電位出力回路１１に不必要な電位がかかることを防ぐことが出来、上側コモン電位出力回路１１は必要な電源範囲で作ることが出来るようになる。
【００４３】
（実施の形態５）
図５は（実施の形態５）の液晶駆動装置を示し、図７に示した従来例の上側コモン電位出力回路１１と上側スイッチ回路１３との間には、上側ＭＯＳトランジスタ２３が介装されている。下側コモン電位出力回路１２と下側スイッチ回路１４との間には、下側ＭＯＳトランジスタ２４が介装されている点だけが異なっている。
【００４４】
上側コモン電位出力回路１１、前記下側コモン電位出力回路１２に不必要な電位がかかろうとすると、上側ＭＯＳトランジスタ２３、下側ＭＯＳトランジスタ２４がオフ状態となることによって、不必要な電位がかかることを防ぐことが出来る。
【００４５】
液晶表示パネルに供給するコモン電位が上側電位であった場合、上側スイッチ回路１３をオン状態にし、下側スイッチ回路１４をオフ状態にする。この状態の時、上側コモン電位出力回路１１と出力端子１５がオン状態となり、出力端子１５には、上側コモン電位が出力される。
【００４６】
この状態から次に下側コモン電位を出力する場合には、まず、オン状態にある上側スイッチ回路１３をオフ状態にする。次に下側スイッチ回路１４をオン状態にする。
このとき、従来であれば下側コモン電位出力回路１２に上側コモン電位が一時的にかかる場合があるが、下側ＭＯＳトランジスタ２４のしきい値電圧の特性を利用することによって、下側コモン電位出力回路１２に上側コモン電位がかかることを防ぐことができ、下側コモン電位出力回路１２は必要な電源範囲で作ることが出来るようになる。
【００４７】
また、この状態から上側コモン電位を出力する場合は、まず、下側スイッチ回路１４をオフ状態にする。次に上側スイッチ回路１３をオン状態にする。このとき、従来であれば上側コモン電位出力回路１１に下側コモン電位が一時的にかかる場合があるが、上側ＭＯＳトランジスタ２３のしきい値電圧の特性を利用することによって、上側コモン電位出力回路１１に下側コモン電位がかかることを防ぐことができ、上側コモン電位出力回路１１を必要な電源範囲で作ることが出来るようになる。なお、上側ＭＯＳトランジスタ２３と下側ＭＯＳトランジスタ２４のゲート電圧は、それぞれ上側スイッチ回路１３、下側スイッチ回路１４がオン状態であるときは、適切な電位である必要がある。
【００４８】
（実施の形態６）
図６は（実施の形態６）の液晶駆動装置を示し、図７に示した従来例の上側スイッチ回路１３に代わって上側ＭＯＳトランジスタ２３のソース−ドレインが介装されている。下側スイッチ回路１４に代わって下側ＭＯＳトランジスタ２４のソース−ドレインが介装されている点だけが異なっている。また、（実施の形態６）の液晶駆動装置は、図５の前記ＭＯＳトランジスタのゲート電位を前記上側スイッチ回路、または前記下側スイッチ回路をオフ状態にする必要があるときにオフ電位にすることにより、前記上側スイッチ回路と前記下側スイッチ回路を削除することが出来る。
【００４９】
液晶表示パネルに供給するコモン電位が上側電位であった場合、上側コモン電位出力回路１１に不必要な電位が与えられないよう、上側ＭＯＳトランジスタ２３のしきい値電圧の特性を利用したゲート電位を与え、下側ＭＯＳトランジスタ２４がオフ状態になるゲート電位を与える。この状態の時、上側コモン電位出力回路１１と出力端子１５がオン状態となり、出力端子１５には、上側コモン電位が出力される。
【００５０】
この状態から次に下側コモン電位を出力する場合には、まず、オン状態にある上側ＭＯＳトランジスタ２３がオフ状態になるゲート電位を与える。次に下側コモン電位出力回路１２に不必要な電位が与えられないよう、下側ＭＯＳトランジスタ２４のしきい値電圧の特性を利用したゲート電位を与えることにより、下側コモン電位出力回路１２は必要な電源範囲で作ることが出来るようになる。
【００５１】
また、この状態から上側コモン電位を出力する場合は、まず、下側ＭＯＳトランジスタ２４がオフ状態になるゲート電位を与える。次に上側ＭＯＳトランジスタ２３のしきい値電圧の特性を利用したゲート電位を与え、下側ＭＯＳトランジスタ２４がオフ状態なるゲート電位を与えることにより、上側コモン電位出力回路１１に下側コモン電位がかかることを防ぐことにより、上側コモン電位出力回路１１は必要な電源範囲で作ることが出来るようになる。なお、上側ＭＯＳトランジスタ２３と下側ＭＯＳトランジスタ２４のゲート電圧は、出力端子１５が適切な電位になった時点で、しきい値電圧を利用するためのゲート電位からそれぞれの状態でそれぞれのＭＯＳトランジスタがオン状態になるゲート電位に変更してもかまわない。
【図面の簡単な説明】
【００５２】
【図１】本発明の（実施の形態１）の液晶駆動装置の要部構成図
【図２】本発明の（実施の形態２）の液晶駆動装置の要部構成図
【図３】本発明の（実施の形態３）の液晶駆動装置の要部構成図
【図４】本発明の（実施の形態４）の液晶駆動装置の要部構成図
【図５】本発明の（実施の形態５）の液晶駆動装置の要部構成図
【図６】本発明の（実施の形態６）の液晶駆動装置の要部構成図
【図７】従来の液晶駆動装置の構成図
【符号の説明】
【００５３】
１１    上側コモン電位出力回路
１２    下側コモン電位出力回路
１３    上側スイッチ回路
１４    下側スイッチ回路
１５    出力端子
１６    上側防止回路
１７    下側防止回路
１８    上側コモン電位出力回路
１９    下側コモン電位出力回路
２０    上側第２スイッチ回路
２１    下側第２スイッチ回路
２２    適切電位設定回路
２３    上側ＭＯＳトランジスタ
２４    下側ＭＯＳトランジスタ
【図１】
2005134682.tif 000003
【図２】
2005134682.tif 000004
【図３】
2005134682.tif 000005
【図４】
2005134682.tif 000006
【図５】
2005134682.tif 000007
【図６】
2005134682.tif 000008
【図７】
2005134682.tif 000009